(57)【要約】【課題】良好な超高性能を有する撮影装置を提供する。【解決手段】本発明の撮影装置１０は、被写体照明用の照明装置３０における本発光光量演算用のモニタ発光に関する情報を前記照明装置３０に対して送信する通信を開始する通信開始指示Ｔ２，ｔ２、及び該通信を終了する通信終了指示Ｔ５，ｔ５を行なう通信部１８と、前記モニタ発光の際の被写体像光を露光する撮像センサ１２と、前記通信部１８による前記照明装置３０への前記通信開始指示Ｔ２又は前記通信終了指示ｔ５のタイミングを、露光した前記被写体像光の光量に応じて前記撮像センサ１２に蓄積した信号電荷を読み出すタイミングを示す、一定間隔で発信されるタイミング信号ＶＤ信号に同期させる制御部２０と、を備える。【選択図】図３
2014035443.tif 000002
【特許請求の範囲】
【請求項１】
被写体照明用の照明装置における本発光光量演算用のモニタ発光に関する情報を前記照明装置に対して送信する通信を開始する通信開始指示、及び該通信を終了する通信終了指示を前記照明装置に対して行なう通信部と、
前記モニタ発光の際の被写体像光を露光する撮像センサと、
前記通信部による前記照明装置への前記通信開始指示又は前記通信終了指示のタイミングを、露光した前記被写体像光の光量に応じて前記撮像センサに蓄積した信号電荷を読み出すタイミングを示す、一定間隔で発信されるタイミング信号に同期させる制御部と、
を備える撮影装置。
【請求項２】
請求項１に記載の撮影装置であって、
前記タイミング信号から、前記通信開始指示又は前記通信終了指示までの時間は、照明装置ごとに略一定であること、
を特徴とする撮影装置。
【請求項３】
請求項１または２に記載の撮影装置であって、
前記通信開始指示又は前記通信終了指示から、前記撮像センサが露光を開始する時間までの遅延時間を記憶する記憶部を備えること、
を特徴とする撮影装置。
【請求項４】
請求項１または２に記載の撮影装置であって、
前記通信部は、前記通信開始指示と前記通信終了指示との間の一定期間において、前記モニタ発光に関する情報送信を行ない、
前記情報送信の終了から、前記通信を終了する通信終了指示までの遅延時間を記憶する記憶部を備えること、
を特徴とする撮影装置。
【請求項５】
請求項１から４のいずれか１項に記載の撮影装置であって、
前記撮像センサは、ＣＭＯＳセンサであること、
を特徴とする撮影装置。
【請求項６】
請求項１から５のいずれか１項に記載の撮影装置であって、
前記照明装置は、前記撮影装置に対して着脱可能であること、
を特徴とする撮影装置。
【発明の詳細な説明】
【技術分野】
【０００１】
本発明は、撮影装置に関するものである。
【背景技術】
【０００２】
従来、照明装置が着脱可能な撮影装置においては、照明装置をモニタ発光させ、光が照射された被写体像光を露光し、本撮影の際の照明装置の本発光量を決定している（特許文献１参照）。
【先行技術文献】
【特許文献】
【０００３】
【特許文献１】特開２００１−０９１９８９号公報
【発明の概要】
【発明が解決しようとする課題】
【０００４】
しかし、近年、撮像センサとしてＣＭＯＳセンサを用いる場合、ローリングシャッタ方式となる。この場合、モニタ発光の際の被写体像光を安定して測光するためには、全画素受光時間にモニタ発光が収まるようにする必要があり、露光時間が長くなる可能性がある。このように露光時間が長くなると背景光を多く露光してしまい、調光性能が悪化する。
【０００５】
本発明の課題は、良好な調光性能を有する撮影装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体照明用の照明装置（３０）における本発光光量演算用のモニタ発光に関する情報を前記照明装置（３０）に対して送信する通信を開始する通信開始指示（Ｔ２，ｔ２）、及び該通信を終了する通信終了指示（Ｔ５，ｔ５）を前記照明装置（３０）に対して行なう通信部（１８）と、前記モニタ発光の際の被写体像光を露光する撮像センサ（１２）と、前記通信部（１８）による前記照明装置（３０）への前記通信開始指示（Ｔ２）又は前記通信終了指示（ｔ５）のタイミングを、露光した前記被写体像光の光量に応じて前記撮像センサ（１２）に蓄積した信号電荷を読み出すタイミングを示す、一定間隔で発信されるタイミング信号（ＶＤ信号）に同期させる制御部（２０）と、を備える撮影装置（１０）である。
請求項２に記載の発明は、請求項１に記載の撮影装置（１０）であって、前記タイミング信号（ＶＤ信号）から、前記通信開始指示（Ｔ２）又は前記通信終了指示（ｔ５）までの時間は、照明装置（３０）ごとに略一定であること、を特徴とする撮影装置（１０）である。
請求項３に記載の発明は、請求項１または２に記載の撮影装置（１０）であって、前記通信開始指示（Ｔ２）又は前記通信終了指示から、前記撮像センサ（１２）が露光を開始する時間（Ｔ９）までの遅延時間（Ｄｔ）を記憶する記憶部（１７）を備えること、を特徴とする撮影装置（１０）である。
請求項４に記載の発明は、請求項１または２に記載の撮影装置（１０）であって、前記通信部（１８）は、前記通信開始指示（ｔ２）と前記通信終了指示（ｔ５）との間の一定期間において、前記モニタ発光に関する情報送信を行ない、前記情報送信の終了（ｔ４）から、前記通信を終了する通信終了指示（ｔ５）までの遅延時間（Ｄｔ）を記憶する記憶部（１７）を備えること、を特徴とする撮影装置（１０）である。
請求項５に記載の発明は、請求項１から４のいずれか１項に記載の撮影装置（１０）であって、前記撮像センサ（１２）は、ＣＭＯＳセンサであること、を特徴とする撮影装置（１０）である。
請求項６に記載の発明は、請求項１から５のいずれか１項に記載の撮影装置（１０）であって、前記照明装置（３０）は、前記撮影装置（１０）に対して着脱可能であること、
を特徴とする撮影装置（１０）である。
なお、符号を付して説明した構成は、適宜改良してもよく、また、少なくとも一部を他の構成物に代替してもよい。
【発明の効果】
【０００８】
本発明によれば、良好な調光性能を有する撮影装置を提供することができる。
【図面の簡単な説明】
【０００９】
【図１】本発明の実施の形態を適用したカメラシステムのブロック構成図である。
【図２】ＣＭＯＳイメージセンサにおけるローリングシャッタ方式の読み出しによる露光の説明図である。
【図３】モニタ発光制御に係る照明装置へのモニタ発光指令およびモニタ露光のタイミングチャートである。
【図４】モニタ発光指令制御のフローチャートである。
【図５】第２実施形態におけるモニタ発光制御に係る照明装置へのモニタ発光指令およびモニタ露光のタイミングチャートである。
【図６】第２実施形態におけるモニタ発光指令制御のフローチャートである。
【発明を実施するための形態】
【００１０】
以下、図面等を参照して、本発明の実施形態について説明する。
（第１実施形態）
図１は、本発明の実施の形態を適用したカメラシステムのブロック構成図である。
図１に示すように、カメラシステムは、カメラ１０と、このカメラ１０に対して着脱可能な照明装置３０とにより構成される。
【００１１】
カメラ１０は、被写体光を結像させる結像光学系１１と、被写体像をアナログ信号に光電変換する撮像センサ１２と、Ａ／Ｄ変換回路１３と、画像信号に各種処理を行う画像処理部１４と、画像処理部１４によって処理された画像信号を記録する記録部１５とを備えるデジタルカメラとして構成されている。
また、カメラ１０は、撮影者が操作を行う操作部１６と、メモリ１７と、装着された照明装置３０との間で各種信号の送受信を行う通信部１８と、当該カメラ１０における各部を制御するカメラ制御部２０と、タイミングジェネレータ２１と、を備える。
【００１２】
結像光学系１１は、フォーカスレンズやズームレンズを含む複数のレンズ群と開口絞りなどで構成されており、被写体光を撮像センサ１２の受光面に結像させる。図１では、１枚のレンズで示している。
撮像センサ１２は、結像光学系１１の像空間側に配置され、結像光学系１１によってその受光面に形成された被写体像を光電変換してアナログ画像信号を生成する。本実施形態における撮像センサ１２は、ＣＭＯＳイメージセンサによって構成されている。
【００１３】
Ａ／Ｄ変換回路１３は、撮像センサ１２から出力されたアナログ画像信号をデジタル信号に変換する。
画像処理部１４は、撮像センサ１２から出力された画像信号を増幅し、ホワイトバランス調整、ガンマ補正、輪郭強調、レベル調整等の各種画像処理を行う。
【００１４】
記録部１５は、画像処理部１４で各種の処理が施された画像信号を、当該カメラ１０に対して着脱可能な図示しないＣＦカード、ＳＤカード等の記録媒体に記録する。
操作部１６は、撮影者が各種操作を行って当該カメラ１０に対して指示を入力する手段であり、図示しないレリーズボタンなどを含む操作部材を備えている。
【００１５】
メモリ１７は、カメラ制御部２０が利用するプログラムや、プログラムの実行に必要な初期値や設定値などが記憶される不揮発性メモリである。メモリ１７は、後述するモニタ発光制御において用いられる照明装置３０における機種毎の遅延時間：Ｄｔのデータテーブルを保持している。
通信部１８は、当該カメラ１０に装着された後述する照明装置３０の通信部３４と電気的に接続され、照明装置３０の発光制御部３３との間で各種信号の送受信を行う。
表示部１９は、液晶表示パネルによって構成され、信号処理後の撮影画像や、記録部１５の記録媒体から読出した画像データの再生画像を表示する。
【００１６】
カメラ制御部２０は、ＣＰＵおよび演算処理を実行する際に必要なデータや画像信号などを一時的に記憶する揮発性メモリ等を備えて構成され、焦点検出（ＡＦ）や露光決定（ＡＥ）などの各種演算を行うと共に、カメラ動作を統括的に制御する。撮影時には、レリーズボタンの操作によって撮影開始が指示されると、結像光学系１１が備える絞りユニットを所定のタイミングで駆動し、撮像センサ１２からの画像情報の読み出し（撮影）を制御する。
【００１７】
また、カメラ制御部２０は、通信部１８を介してカメラ１０に装着された照明装置３０と接続され、照明装置３０に対して発光指令を行って発光を制御する。
カメラ制御部２０による発光指令には、撮影に同期して行う本発光指令の他、本発光に先立って行うモニタ発光指令がある。モニタ発光は、ＴＴＬ自動調光モード等において本発光に先立って照明装置３０を小光量でモニタ発光させ、その被写体からの反射光を撮像センサ１２で検出して本発光量の演算時に用いる被写体反射率の情報を得るためのものである。
【００１８】
カメラ制御部２０は、モニタ発光の被写体からの反射光に基づいて本発光量を演算する本発光量演算制御と、この演算により得られた本発光量に基づいて照明装置３０を本発光させる本発光制御をそれぞれ行う。カメラ制御部２０によるモニタ発光指令の制御については後に詳述する。
タイミングジェネレータ２１は、カメラ制御部２０からの指令に応じて撮像センサ１２やＡ／Ｄ変換回路１３に対するタイミング信号を生成し、供給する。
【００１９】
上記構成のカメラ１０は、撮影に際して、使用者（撮影者）による操作部１６の操作に基づくカメラ制御部２０の制御によって、撮像センサ１２が被写体像を電気信号に変換し、この電気信号から画像処理部１４が画像データを形成し、記録部１５に記録する。
また、外付けの照明装置３０が装着されて閃光発光撮影をＴＴＬ自動調光で行う場合には、通信部１８を介してその発光指令制御を行う。
【００２０】
照明装置３０は、発光部３１と、駆動回路３２と、照明装置３０内の各部の制御を行う発光制御部３３と、通信部３４と、メモリ３５と、を備えている。
発光部３１は、キセノン管および反射板等を備えて構成され、後述する駆動回路２２から印可される高電圧によって、キセノン間から放電による閃光を発する。発光部３１の前面側には、フレネルレンズが設けられている。ただしキセノン管に限定されず、ＬＥＤ等であってもよい。
駆動回路３２は、図示しないが、電源としての電池、昇圧トランス、昇圧回路およびメインコンデンサ、スイッチング素子等を備えて構成され、発光制御部３３からの指令に基づいて発光部３１に高圧の直流電圧を印可する。
【００２１】
発光制御部３３は、ＣＰＵ等を備えて構成され、当該照明装置３０の動作を統括制御する。すなわち、発光制御部３３は、後述する通信部３４を介してカメラ１０から発光指令を受け、駆動回路３２を制御して発光部３１を発光させる。発光制御部３３は、ＴＴＬ自動調光モード、マニュアルモード等、複数の発光制御モードを備えている。
通信部３４は、当該照明装置３０が装着されたカメラ１０の通信部１８と電気的に接続され、カメラ１０のカメラ制御部２０との間で各種信号の送受信を行う。
メモリ３５は、当該照明装置３０の発光作動全般を制御する情報を格納している。
【００２２】
上記照明装置３０は、カメラ１０に装着され、通信部３４がカメラ１０の通信部１８と電気的に接続される。そして、照明装置３０は、通信部３４を介して受信するカメラ１０（カメラ制御部２０）から送信された制御信号に基づいて、発光制御部３３が駆動回路３２を制御して発光部３１を発光させる。
【００２３】
つぎに、図２〜図４を参照して、カメラ制御部２０による、照明装置３０へのモニタ発光指令制御について説明する。
図２は、ＣＭＯＳイメージセンサにおけるローリングシャッタ方式の読み出しによる露光の説明図である。図３は、モニタ発光制御に係る照明装置３０へのモニタ発光指令およびモニタ露光のタイミングチャートである。図４は、モニタ発光指令制御のフローチャートである。
【００２４】
前述したように、モニタ発光制御は、本発光に先立って照明装置３０を小光量で発光させ、撮影時と同様に撮像センサ１２を露光して画像情報を読み出し（撮影し）、被写体からの反射光を検出することで本発光量の演算に用いる被写体反射率の情報を得る。以下、このモニタ発光制御時における露光および画像情報の読み出しをモニタ露光と呼ぶ。
【００２５】
本実施形態におけるモニタ発光制御では、モニタ露光における撮像センサ１２の全画素が受光している時に（後述する全画素受光時間範囲内で）照明装置３０のモニタ発光が行われるように、モニタ露光のタイミングを制御する。このモニタ露光のタイミングの制御は、カメラ制御部２０から照明装置３０への通信開始指示の時間を前後させることで行う。
【００２６】
まず、図２を参照して、ＣＭＯＳイメージセンサにおけるローリングシャッタ方式の読み出しによる露光について説明する。
撮像センサ１２はＣＭＯＳイメージセンサによって構成されている。ＣＭＯＳイメージセンサは、フォトダイオードで生成された信号電荷を、フローティングディフュージョンアンプにより電圧信号に変換する。
そして、この電圧信号を垂直走査回路からの行選択信号により水平行単位で列信号線に読み出し、水平走査回路からの水平駆動信号により外部に順次読み出す。このように、ＣＭＯＳイメージセンサは、水平行単位で電圧変換して読み出すため、必然的に、画素の電荷の蓄積の開始と終了の時刻が水平行単位で順次ずれてゆくローリングシャッタ方式となる。
【００２７】
つまり、ＣＭＯＳイメージセンサでは、撮像面の上部から１行毎に読み出し動作を行うため、撮像面の上部と下部とで読み出しのタイミングが異なる。このため、図２中に示すように読み出しライン４１が斜めになってしまう。この読み出しライン４１は、ＶＤ信号のタイミングで開始される。
【００２８】
この読み出しライン４１に対して、撮像面全体での蓄積時間を一定にするために、読み出しライン４１と同じ形でこの読み出しライン４１に先行してリセットライン４２を設定する。このリセットライン４２は、各行毎に、読み出しライン４１よりも所定時間（露光時間）前にリセットをかける。なお、読み出しは、行毎の読み出しＨＤ信号（図示せず）のタイミングで行われるので、読み出しライン４１およびリセットライン４２は階段状になるが、図では直線で略示している。
【００２９】
上記のように、ＣＭＯＳイメージセンサでは、時間軸方向に傾いたリセットライン４２と読み出しライン４１との間において、被写体像を撮影する（画像情報を読み出す）ことになる。このため、最下行のリセットから最上行の読み出しまでの時間範囲ではＣＭＯＳイメージセンサにおける全ての画素が受光している（以下、これを全画素受光時間範囲と呼ぶ）が、最上行のリセットから最下行のリセットまでの時間範囲、および、最上行の読み出しから最下行の読み出しまでの時間範囲では、一部の行の画素のみが受光する（以下、これを一部画素受光時間範囲と呼ぶ）。
【００３０】
撮像センサ１２は、ＣＭＯＳイメージセンサによって構成されており、ローリングシャッタ方式で画像情報を読み出す。ここで、図２中２点鎖線で示すようにモニタ発光が一部画素受光時間範囲中に行われると、モニタ発光による反射光を検出できない画素が存在するために正確な測光が行えない。また、モニタ発光を全画素受光時間範囲の間に納めようとして全画素受光時間範囲を長く設定すると、背景光を多く検出してしまい特に日中シンクロの場合等には調光性能が低下する。
このため、モニタ露光は、全画素受光時間範囲を極力短く、且つ、その全画素受光時間範囲内でモニタ発光が行われるように設定することが求められる。
【００３１】
ここで、モニタ発光の際には、前述したように、カメラ１０におけるカメラ制御部２０から通信によって照明装置３０に対してモニタ発光指令を送り、照明装置３０はこのモニタ発光指令を受信して発光動作を行うが、このカメラ制御部２０による、モニタ発光知れの通信開始指示から照明装置３０がモニタ発光するまでの時間は、その機種毎に略一定である。
そこで、本実施形態におけるモニタ発光制御は、この照明装置３０におけるモニタ発光が、カメラ制御部２０から照明装置３０への通信開始指示から略一定時間で行われることを利用する。
【００３２】
詳細に説明すると、図３に示すように、カメラ１０側においては、撮像センサ１２のモニタ露光の画像情報読み出しのタイミングとなるＶＤ信号が一定間隔で発生されている。
また、撮影者のレリーズ操作によってモニタ発光の際の撮影指令が入力されると（Ｔ１）、撮影準備時間経過後、カメラ制御部２０により、モニタ発光に関する情報を照明装置に対して送信する通信を開始する通信開始指示が照明装置３０に送信される（Ｔ２）。
本実施形態においては、ＶＤ信号とＴ２とのタイミングを間隔Ｘ１にて同期（調整）させることが可能となっている。
【００３３】
撮影指令が入力され（Ｔ１）、通信開始指示が送信されると（Ｔ２）、カメラ１０から照明装置３０へモニタ発光に関する情報送信が開始される（Ｔ３）。そして情報送信終了（Ｔ４）後、通信終了指示が送信される（Ｔ５）。そして、その後、照明装置３０によるモニタ発光が行なわれる（Ｔ６）。
【００３４】
ここで、本実施形態において通信開始指示（Ｔ２）から、モニタ発光（Ｔ６）までの時間（Ｔ６−Ｔ２＝通信開始後発光所要時間：Ｘｂ）は、照明装置３０によって略一定である。
【００３５】
また、上述のように、ＶＤ信号の発生タイミング合わせて、撮像センサ１２のモニタ露光の画像情報読み出しが行なわれるが、本実施形態では、モニタ発光の完了後、不要な間隔を開けることなくＶＤ信号と同期させ、読み出しが行なわれるようにする（Ｔ７）。
【００３６】
この撮像センサ１２の読み出し時間（Ｔ７）から、全画素受光時間を引いた時間（Ｔ８）がリセットライン４２の最後となるように求めた露光時間（Ｅｔ）を引くと、露光開始時間（Ｔ９）が求まる。
ここで、全画素受光時間範囲は上述のように、モニタ発光実行（Ｔ６）から不要な間隔が空かないように読み出しが開始（Ｔ７）されるように可能限り短く設定されている。本実施形態においては、この露光開始時間（Ｔ９）の、通信開始時間（Ｔ２）からの遅延時間（Ｄｔ）の情報が、カメラ１０は照明装置３０ごとに、メモリ１７に保持されている。
【００３７】
ここで、遅延時間（Ｄｔ）と露光時間（Ｅｔ）とを足した時間は、通信開始後発光所要時間Ｘｂにおいてモニタ発光（Ｔ６）が行なわれて、そのモニタ発光が完了して可能な限り短い時間で読み出しが開始される時間であるので、照明装置３０により略一定である。
本実施形態においては、ＶＤ信号とＴ２との時間間隔Ｘ１が調整可能となっている。
従って、実際に読み出しに使用されるＶＤ信号の発信時間Ｔ７から、Ｄｔ＋Ｅｔの時間だけ遡った時間をＴ２として通信を開始する。
【００３８】
つぎに、カメラ制御部２０による、このモニタ発光制御を、図３に示すタイミングチャートを参照しつつ、図４に示すフローチャートに沿って説明する。なお、図４中および以下の説明において、ステップを「Ｓ」とも略記する。
【００３９】
図４に示すように、モニタ発光制御の前段階として、外付けの照明装置３０がカメラ１０に装着されると（Ｓ４０１）、照明装置３０とカメラ１との間で通信が行われて、カメラ制御部２０は、照明装置３０のメモリ３５が保持する機種等の固有情報を読み取る（Ｓ４０２）。
ついで、カメラ制御部２０は、メモリ１７が保持するテーブルから、該当する照明装置３０における遅延時間：Ｄｔを読み出す（Ｓ４０３）。
【００４０】
そして、レリーズ操作によって撮影指令が入力されると（Ｔ１）（Ｓ４０４）、カメラ制御部２０は、撮影準備終了したあとのＶＤタイミングからＸ１時間経過後に（Ｓ４０５）通信開始指示を送信し（Ｔ２）、情報送信を開始し（Ｔ３）、情報送信が終了すると（Ｔ４）、通信終了指示を送信して（Ｔ５）、通信を終了する（Ｓ４０６）。
そして、カメラ制御部２０は、通信開始指示（Ｔ２）から遅延時間（Ｄｔ）経過後に、撮像センサ１２に露光を開始させる（Ｔ９）（Ｓ４０７）。
【００４１】
モニタ発光がＴ６において行なわれた後、Ｔ７においてＶＤ信号のタイミングと一致させて撮像センサ１２のモニタ露光の画像情報読み出しを行なう（Ｓ４０８）。
【００４２】
以上、本実施形態によると、以下の効果を有する。
カメラ制御部２０によるモニタ発光制御は、モニタ露光の画像情報読み出しのＶＤ信号に同期させている。これにより、モニタ発光による反射光を全画素で検出できるために誤差の発生を抑えて正確な測光を行うことができ。また、全画素受光時間範囲を短く設定することが可能となって背景光の検出に起因する調光性能の低下を抑制できる。
【００４３】
（第２実施形態）
つぎに、図５に示す本発明の第２実施形態について説明する。
第２実施形態は、前述した第１実施形態とは、カメラ制御部２０による照明装置３０へのモニタ発光指令制御が異なる。カメラ１０および照明装置３０の構成については、図１に示す第１実施形態と同様であるために説明は省略し、構成要件には同符号を用いる。本実施形態は、撮像センサの一部画素受光時間範囲が長い、又はモニタ発光情報データの送信が早い場合などにより適切である。
【００４４】
第２実施形態においても、モニタ発光の際の撮影指令（ｔ１）があると、撮影準備時間経過後に通信開始指示が送信され（ｔ２）、モニタ発光に関する情報が送信される（ｔ３）。しかし、送信が終了（ｔ４）しても通信終了指示が送信（ｔ５）されるまでモニタ発光はされない。すなわち、第２実施形態において、通信終了指示（ｔ５）からモニタ発光（ｔ６）までの期間は照明装置の機種毎に略一定である。
そこで、本実施形態におけるモニタ発光制御は、通信終了指示（ｔ５）からモニタ発光（ｔ６）までの期間が照明装置３０の機種毎に略一定時間で行われることを利用する。
【００４５】
詳細に説明すると、図５に示すように、カメラ１０側においては、撮像センサ１２のモニタ露光の画像情報読み出しのタイミングとなるＶＤ信号が一定間隔で発生されている。
また、撮影者のレリーズ操作によって撮影指令が入力されると（ｔ１）、撮影準備時間経過後、カメラ制御部２０により通信開始指示が送信（ｔ２）される。
この通信開始（ｔ２）の後、カメラ１０から照明装置３０へ情報送信され（ｔ３）、情報送信が終了（ｔ４）し、通信終了指示が送信される（ｔ５）。
【００４６】
ここで、本実施形態において通信終了指示（ｔ５）から、モニタ発光（ｔ６）までの時間（ｔ６−ｔ５）＝通信終了発光所要時間：Ｘａは、照明装置３０によって略一定である。
【００４７】
上述のように、ＶＤ信号の発生タイミング合わせて、撮像センサ１２のモニタ露光の画像情報読み出しが行なわれるので、本実施形態では、モニタ発光が完了したときに、不要な時間を空けることなく撮像センサ１２の読み出しが行なわれるようにする（ｔ７）。
【００４８】
この撮像センサ１２の読み出し時間（ｔ７）から、全画素受光時間を引いた時間（ｔ８）が、リセットライン４２の最後となるように求めた露光時間（Ｅｔ）を引くと、露光開始時間（ｔ９）が求まる。
ここで、上述のように、全画素受光時間範囲はモニタ発光を含む範囲で可能限り短く設定されている。
【００４９】
本実施形態では、ｔ４とｔ５との時間差が遅延時間（Ｄｔ）としてメモリ１７に保持されている。
すなわち、レリーズ操作によって撮影指令が入力（ｔ１）され、撮影準備時間経過後に露光開始時間（ｔ９）にて露光を開始する。照明装置３０へ通信開始指示が送信し（ｔ２）、情報送信され（ｔ３）、情報送信終了（ｔ４）の後、遅延時間Ｄｔ経過後に、通信終了指示が送信される（ｔ５）。そこから、通信終了後発光所要時間：Ｘａ経過後にモニタ発光し（ｔ６）、モニタ発光が完了したとき、ＶＤ信号（ｔ７）に同期して読み出しが開始される。
そして、この画像情報読み出し（ｔ７）から露光時間（Ｅｔ）遡った時間（ｔ９）が計算されて露光開始時間となる。
【００５０】
つぎに、カメラ制御部２０による、このモニタ発光制御を、図５に示すタイミングチャートを参照しつつ、図６に示すフローチャートに沿って説明する。
【００５１】
図６に示すように、第１実施形態と同様に、モニタ発光制御の前段階として、外付けの照明装置３０がカメラ１０に装着されると（Ｓ６０１）、通信を行ってそのメモリ３５が保持する機種等の固有情報を読み取る（Ｓ６０２）。
ついで、メモリ１７が保持するテーブルから、該当する照明装置３０における遅延時間：Ｄｔを読み出す（Ｓ６０３）。
【００５２】
そして、レリーズ操作によって撮影指令が入力されると（ｔ１）（Ｓ６０４）、Ｅｔを基に、露光開始時間ｔ９が計算される（Ｓ６０５）。
そして、計算されたｔ９において露光が開始される（Ｓ６０６）とともに、撮影者のレリーズ操作（ｔ１）から、撮影準備時間経過後、カメラ制御部２０によりモニタ発光指令のための通信が開始（ｔ２）される。この通信開始（ｔ２）の後、カメラ１０から照明装置３０へ情報送信が行なわれる（ｔ３）。そして送信終了（ｔ４）後、遅延時間Ｄｔ経過後のｔ５においてモニタ発光指令のための通信が終了する（Ｓ６０７）。
モニタ発光指令のための通信が終了すると、照明装置３０によって定まる所定期間経過後モニタ発光が行なわれる（ｔ６）。
【００５３】
モニタ発光がｔ６において行なわれると、その後、ｔ７においてＶＤ信号のタイミングと一致して撮像センサ１２のモニタ露光の画像情報読み出しを行なう（Ｓ６０８）。
【００５４】
以上、本実施形態によると、以下の効果を有する。
本第２実施形態におけるカメラ制御部２０によるモニタ発光制御では、モニタ発光情報送信の終了から通信終了指示までの遅延時間を設けることで、照明装置３０におけるモニタ発光とモニタ露光の全画素受光時間範囲とを同期させる。これにより、モニタ発光による反射光を全画素で検出できるために誤差の発生を抑えて正確な測光を行うことができ。また、全画素受光時間範囲を短く設定することが可能となって背景光の検出に起因する調光性能の低下を抑制できる。
【００５５】
（変形形態）
以上、説明した実施形態に限定されることなく、以下に示すような種々の変形や変更が可能であり、それらも本発明の範囲内である。
本実施形態におけるモニタ発光制御では、照明装置３０へのモニタ発光指示に係る通信開始および通信終了を基準としてモニタ露光を設定しているが、他の信号タイミング（たとえばモニタ発光指示等）を基準として構成しても良い。
なお、実施形態及び変形形態は、適宜組み合わせて用いることもできるが、詳細な説明は省略する。また、本発明は以上説明した実施形態によって限定されることはない。
【符号の説明】
【００５６】
１０：カメラ、１２：撮像素子、１７：メモリ、１８：通信部、２０：カメラ制御部、３０：照明装置、３３：発光制御部、３４：通信部
【図１】
2014035443.tif 000003
【図２】
2014035443.tif 000004
【図３】
2014035443.tif 000005
【図４】
2014035443.tif 000006
【図５】
2014035443.tif 000007
【図６】
2014035443.tif 000008